(57)【要約】【課題】  構造自体の工夫によって表示ボケを抑制することのできる反射型表示素子を提供する。【解決手段】  対向して配された一対の基板を備え、一対の基板のうちの一方の基板から入射された光を、画素が形成された他方の基板により単位画素毎に選択的に反射させた後、一方の基板から出射させる。そして、光が入射される一方の基板に入射光をその進行方向側に散乱させる特性を有する散乱板１１を設け、一方の基板から入射された光を単位画素毎に選択的に反射させる他方の基板の、単位画素周辺の少なくとも一部分に光吸収性、或は光反射性を有する凸状もしくは壁状の構造体４８を形成する。【選択図】      図１
2005055620.tif 000002
【特許請求の範囲】
【請求項１】
対向して配された一対の基板を備え、前記一対の基板のうちの一方の基板から入射された光を、画素が形成された他方の基板により単位画素毎に選択的に反射させた後、前記一方の基板から出射させる反射型表示素子であって、
前記光が入射される一方の基板に入射光をその進行方向側に散乱させる特性を有する散乱板を設け、前記入射光を反射させる他方の基板の単位画素周辺の少なくとも一部分に光吸収性、或は光反射性を有する凸状もしくは壁状の構造体を形成することを特徴とする反射型表示素子。
【請求項２】
前記一対の基板の間に前記入射光を選択的に透過させる表示層を設け、前記表示層が透過状態であるとき、前記光吸収性、或は光反射性を有する凸状もしくは壁状の構造体の少なくとも一部分により光を吸収、或は反射することを特徴とする請求項１記載の反射型表示素子。
【請求項３】
前記光を吸収する前記凸状もしくは壁状の構造体の少なくとも一部分の光吸収率が６０％以上であることを特徴とする請求項２記載の反射型表示素子。
【請求項４】
前記光吸収性、或は光反射性を有する凸状もしくは壁状の構造体の少なくとも一部分の高さをｄ［ミクロン］、単位画素の画素ピッチをｐ［ミクロン］、前記散乱板の散乱層と前記表示層との距離をｈ［ミクロン］、前記散乱板の散乱角度Θとしたとき下記の式を満足することを特徴とする請求項２又は３記載の反射型表示素子。
【数１】
2005055620.tif 000013
また、散乱角度Θは、散乱板に光を入射させた後、散乱成分を持って透過する散乱透過光について、散乱板による散乱を受けずに入射光線ベクトルを保存したまま透過する直線透過光の強度に対して半分の光強度が得られる角度の２分の１を散乱板の散乱角度とする。
【請求項５】
前記光吸収性、或は光反射性を有する凸状もしくは壁状の構造体の少なくとも一部分の高さｄが、少なくとも５ミクロン以上であることを特徴とする請求項４記載の反射型表示素子。
【請求項６】
前記単位画素が、辺の長さが異なる形状の場合には、該単位画素の少なくとも長辺側に前記凸状もしくは壁状の構造体を設けることを特徴とする請求項１乃至５のいずれか１項に記載の反射型表示素子。
【請求項７】
前記凸状もしくは壁状の構造体が配設されている単位画素周囲にある辺は、画像表示時に下方向に位置することを特徴とする請求項１乃至６のいずれか１項に記載の反射型表示素子。
【請求項８】
前記凸状もしくは壁状の構造体の少なくとも一部分を、前記一部分の屈折率ｎＷと、前記表示層の表示媒体の屈折率ｎｄとの間にｎＷ＞ｎｄの関係が成立するように構成することを特徴とする請求項１記載の反射型表示素子。
【請求項９】
前記表示層は液晶により構成されている層であることを特徴とする請求項２乃至８いずれか１項に記載の反射型表示素子。
【請求項１０】
前記表示層は、透過状態であるとき、複数の粒子を電圧印加によって前記単位画素の周辺に設けられた隔壁部材に沿って堆積させる構成のものであることを特徴とする請求項２乃至８のいずれか１項に記載の反射型表示素子。
【請求項１１】
前記隔壁部材に沿って堆積した複数の粒子により、前記光吸収性を有する凸状もしくは壁状の構造体を構成することを特徴とする請求項１０記載の反射型表示素子。
【請求項１２】
解像度が１インチあたり２００画素以上を有することを特徴とする請求項２乃至１１のいずれか１項に記載の反射型表示素子。
【発明の詳細な説明】
【技術分野】
【０００１】
本発明は、反射型表示素子に関し、特に散乱板を備えたものに関する。
【背景技術】
【０００２】
従来、外光を利用する反射型表示素子は、自発光型表示素子やバックライトを有する表示素子と比較して低消費電力という特徴を有しており、携帯用電子機器など様々な用途に使用されている。そして、この反射型表示素子に関しては、より明るい表示を行うための構成が様々な研究機関から報告されている。
【０００３】
中でも散乱板方式は素子構成として鏡面反射電極を用いるという簡素な構成で実現できることから、安価で高い表示品位の反射型表示素子が実現できるものとして期待されており、開発が進められている。
【０００４】
ここで、この散乱板とは、実質的に全ての入射光をその進行方向側に散乱させる特性を有する光散乱層を有する、例えばフィルム状のものであって、これを表示層に対して入射光側に配設することによって、前方散乱の特性を利用して入射光の拡散度を制御するようにしている。そして、これは入射光の透過及び非透過を切り替えることができるシャッターデバイスとしての表示層、及び表示層の後方に存在する鏡面反射体とともに用いられる形態をとるのが一般的な構成である（特許文献１参照）。
【０００５】
また、この散乱板方式を表示素子として応用するためには、その散乱性能を最適化することが必要である。例えば、散乱性が非常に弱い場合には入射光源に対して正反射方向のみが非常に明るく、それ以外の観測位置ではほとんど反射光を観測することができなくなることから、ほとんどの観測位置において非常に暗い表示となってしまう。
【０００６】
一方、散乱性が非常に強い場合には、前述した「実質的に全ての入射光をその進行方向側に散乱させる特性」を維持することが困難となり、入射光の進行方向と逆側すなわち後方にも散乱してしまう。この場合、シャッターデバイスとしての表示層が極めて高いコントラストを得られる場合においても、この強い散乱性を有する散乱板の影響によって、高いコントラストを実現することができなくなる。したがって、散乱板を用いる場合には、最適な散乱性能に設計することが不可欠である。
【０００７】
【特許文献１】特開平08−201802号公報
【発明の開示】
【発明が解決しようとする課題】
【０００８】
しかしながら、このような散乱板を用いた従来の反射型表示素子は、どのように最適化したとしても本質的に画像周辺部分の表示のボケが発生してしまうという課題がある。
【０００９】
次に、このような表示ボケについて図１２〜図１４を用いて説明する。
【００１０】
図１２は散乱板が用いられる典型的な反射型表示素子の構成を示す図である。なお、同図においては、簡単のために点光源から直線光が入射した場合のみを考える。
【００１１】
同図において、１４は点光源から発せられた光であり、この光１４は、空気中から前方散乱機能を有するフィルム状の散乱板である前方散乱板１１の中に入射すると、まずスネルの法則にしたがって屈折し、散乱層である前方散乱板１１の前方散乱層１１ａに達する。そして、この後、前方散乱層１１ａによって拡散され、表示層１２へと達する。このときの、拡散光線の様子を符号１５〜１７の直線で示した。
【００１２】
ここで、実線１６は前方散乱層１１ａが存在しない場合の光線に相当するもので、前方散乱板１１が配設されている場合には、この実線を通過する光線の量が最も多くなる。また、一点鎖線１５は、前方散乱層１１ａによって図面上にて反時計回り方向に拡散される最大範囲を示しており、二点鎖線１７は前方散乱層１１ａによって図面上にて時計回り方向に拡散される最大範囲を示している。そして、これら各光線は前方散乱層１１ａを経て表示層１２を通過した後、鏡面反射板１３へと達する。
【００１３】
次に、このように鏡面反射板１３に達した各光線は、正反射する特性を有するので、同図に示したような軌跡を描いて反射し、このように反射した各光線は再び表示層１２を通過した後、前方散乱層１１ａへと達する。そして、この光は再び前方散乱層１１ａによって拡散されて外界へと出射することになる。
【００１４】
ところで、図１２で説明した軌跡をたどって外界へと光線が出射されると、図１３に示すように、観測者には符号２５で示した範囲が光っているように観測される。ここで、表示層１２を、例えば図１４に示すような画像表示状態、即ち、符号３７で示す範囲を白表示、符号３８で示す範囲を黒表示、符号３９で示す範囲を白表示となるように制御すると、図１３で述べたように点光源１４から発せられた光によって、観測者は図１４の符号３５で示した範囲が光っているように観測される。
【００１５】
また、同様に、符号３９の範囲の鏡面反射板１３に達する光については、観測者が図１４の符号３６で示した範囲が光っているように観測することになる。つまり、図１４の符号３８で表した黒表示を観測することができないことになる。
【００１６】
ここで、図１４では画素ピッチが非常に細かい例を示したことから黒表示が実現できないという結果になるのであるが、画素ピッチがもう少し粗い場合には黒表示はできるものの、エッジボケのある表示になってしまうことになる。このようなことから、前方散乱板１１を用いた場合、特にシャープなエッジを有する画像や、白い背景に黒く細い線を表示しようとした際には、表示ボケが生じてしまうことになる。
【００１７】
なお、この課題を解決するため、従来は前方散乱板そのものの散乱特性を最適化することによって表示ボケの低減と高い表示性能とが両立する条件を見出そうとしていたが、これ以外にも反射型表示素子の構造自体を工夫することによっても課題を解決できる可能性がある。
【００１８】
そこで本発明は、このような現状に鑑みてなされたものであり、構造自体の工夫によって表示ボケを抑制することのできる反射型表示素子を提供することを目的とするものである。
【課題を解決するための手段】
【００１９】
本発明は、対向して配された一対の基板を備え、前記一対の基板のうちの一方の基板から入射された光を、画素が形成された他方の基板により単位画素毎に選択的に反射させた後、前記一方の基板から出射させる反射型表示素子であって、前記光が入射される一方の基板に入射光をその進行方向側に散乱させる特性を有する散乱板を設け、前記入射光を反射させる他方の基板の単位画素周辺の少なくとも一部分に光吸収性、或は光反射性を有する凸状もしくは壁状の構造体を形成することを特徴とするものである。
【００２０】
また本発明は、前記一対の基板の間に前記入射光を選択的に透過させる表示層を設け、前記表示層が透過状態であるとき、前記光吸収性、或は光反射性を有する凸状もしくは壁状の構造体の少なくとも一部分により光を吸収、或は反射することを特徴とするものである。
【００２１】
また本発明は、前記光を吸収する前記凸状もしくは壁状の構造体の少なくとも一部分の光吸収率が６０％以上であることを特徴とするものである。
【００２２】
また本発明は、前記光吸収性、或は光反射性を有する凸状もしくは壁状の構造体の少なくとも一部分の高さをｄ［ミクロン］、単位画素の画素ピッチをｐ［ミクロン］、前記散乱板の散乱層と前記表示層との距離をｈ［ミクロン］、前記散乱板の散乱角度Θとしたとき下記の式を満足することを特徴とするものである。
【００２３】
【数２】
2005055620.tif 000003
【００２４】
また、散乱角度Θは、散乱板に光を入射させた後、散乱成分を持って透過する散乱透過光について、散乱板による散乱を受けずに入射光線ベクトルを保存したまま透過する直線透過光の強度に対して半分の光強度が得られる角度の２分の１を散乱板の散乱角度とする。
【００２５】
また本発明は、前記光吸収性、或は光反射性を有する凸状もしくは壁状の構造体の少なくとも一部分の高さｄが、少なくとも５ミクロン以上であることを特徴とするものである。
【００２６】
また本発明は、前記単位画素が、辺の長さが異なる形状の場合には、該単位画素の少なくとも長辺側に前記凸状もしくは壁状の構造体を設けることを特徴とするものである。
【００２７】
また本発明は、前記凸状もしくは壁状の構造体が配設されている単位画素周囲にある辺は、画像表示時に下方向に位置することを特徴とするものである。
【００２８】
また本発明は、前記凸状もしくは壁状の構造体の少なくとも一部分を、前記一部分の屈折率ｎＷと、前記表示層の表示媒体の屈折率ｎｄとの間にｎＷ＞ｎｄの関係が成立するように構成することを特徴とするものである。
【００２９】
また本発明は、前記表示層は液晶により構成されている層であることを特徴とするものである。
【００３０】
また本発明は、前記表示層は、透過状態であるとき、複数の粒子を電圧印加によって前記単位画素の周辺に設けられた隔壁部材に沿って堆積させる構成のものであることを特徴とするものである。
【００３１】
また本発明は、前記隔壁部材に沿って堆積した複数の粒子により、前記光吸収性を有する凸状もしくは壁状の構造体を構成することを特徴とするものである。
【００３２】
また本発明は、解像度が１インチあたり２００画素以上を有することを特徴とするものである。
【発明の効果】
【００３３】
以上説明したよう本発明のように、光が入射される一方の基板に入射光をその進行方向側に散乱させる特性を有する散乱板を設け、一方の基板から入射された光を単位画素毎に選択的に反射させる他方の基板の、単位画素周辺の少なくとも一部分に光吸収性、或は光反射性を有する凸状もしくは壁状の構造体を形成することにより、表示ボケを抑制することができる。そして、このように構造自体を工夫することにより、表示ボケの無い良好な表示品位が得られる反射型表示素子を提供することができる。
【発明を実施するための最良の形態】
【００３４】
以下、本発明について図面を用いて詳細に説明する。
【００３５】
図１は、本発明の実施の形態に係る反射型表示素子の構成を示す図である。なお、同図において、図１２と同一符号は、同一又は相当部分を示している。
【００３６】
同図において、４８は矢印４１〜４３に対応する画素の周辺の一部、本実施の形態においては両端に立設された凸状もしくは壁状の構造体である隔壁であり、この隔壁４８は光吸収機能（光吸収性）を有している。そして、このような光吸収機能を有している隔壁４８を立設することにより、点光源から発生した後、前方散乱板１１（前方散乱層１１ａ）に入射して散乱した光４４の一部を吸収することができ、この結果、鏡面反射板１３から反射した後、再び前方散乱板１１に達する光は符号４６で示した矢印の範囲内のみとなる。
【００３７】
また、同様に、点光源から発せられた後、前方散乱板１１（前方散乱層１１ａ）に入射して散乱した光４５は隔壁４８によって一部が吸収され、この結果、鏡面反射板１３から反射した後、再び前方散乱板１１に達する光は符号４７で示した矢印の範囲内のみとなる。
【００３８】
つまり、隔壁４８を設けることによって、既述した図１４のような黒表示が出来ないという状況を回避することができ、図１で示したように明確に白黒の表示を行うことができるようになる。なお、このとき隔壁４８によって明確な白黒のコントラストを得るためは、隔壁４８における光吸収率は６０％以上であることが好ましい。
【００３９】
このように、本発明者は、画素の周辺領域の少なくとも一部分に可視光吸収性の隔壁４８を設けることにより、表示ボケを抑制することができることを見出した。
【００４０】
図２は、反射型表示素子の他の構成として、鏡面反射板１３が設けられると共に、前方散乱板１１が設けられた不図示の一方の基板から入射された光を反射する不図示の基板（以下、反射基板という）側の矢印６１〜６３に対応する単位画素の周辺部分に光吸収領域となるブラックマトリクス６８を設け、単位画素周辺部分が遮光されるようにしたものである。
【００４１】
なお、図３は、図２の比較例として、前方散乱板１１が設けられると共に、反射基板と対向する不図示の基板（以下、対向基板という）側の、矢印５１〜５３に対応する単位画素の周辺部分に対応する位置にブラックマトリクス５７を設けた例である。
【００４２】
ここで、図２に示すように対向する一対の基板のうち反射基板側の単位画素周辺にブラックマトリクス６８を設けた場合、矢印６６及び６７で示した範囲を観測者が観測することになる。これに対し、図３に示すように対向する一対の基板のうち対向基板側にブラックマトリクス５７を設けた場合は、既述した図１４と同様、黒表示を観測することができない。
【００４３】
つまり、反射基板側の単位画素周辺に光吸収領域（ブラックマトリクス６８）を設けるようにした方が白黒表示を明確に区別することができる。したがって、図１のように隔壁４８を立設する場合でも、隔壁４８を反射基板側に設ける構成の方が効果的であり好ましい。
【００４４】
次に、表示ボケを抑制することができる隔壁４８の高さ、ピッチ等のパラメータについて図４を用いて説明する。なお、このとき隔壁４８は既述した結論に基づき反射基板７３側に接している構成となっている。
【００４５】
図４において、ａ１は点光源から発せられた光７４によって観測者が観測できる範囲の右端、同様にｂ１は点光源から発せられた光７４によって観測者が観測できる範囲の左端を表している。また、ａ２は点光源から発せられた光７５によって観測者が観測できる範囲の右端、同様にｂ２は点光源から発せられた光７５によって観測者が観測できる範囲の左端を表している。
【００４６】
このときｂ１とａ２が重なってしまう条件の場合には、図１４で説明したように黒表示が出来なくなってしまうことになる。ここで、本発明者の検討によると、ｂ１とａ２の距離は画素ピッチｐの半分以上ある場合に画像ボケが気にならないことがわかった。一方、ｂ１とａ２の距離が画像ピッチｐの２倍に近くなってしまう場合には表示される範囲が極めて狭くなってしまい、所望の表示が得られないことがわかった。
【００４７】
つまり、表示品位と画素ピッチｐには密接な関係にあることがわかった。そして、本発明者の検討によると、ｂ１とａ２の距離は画素ピッチｐの１．５倍以下である場合に所望の表示が得られることがわかった。
【００４８】
ここで、光吸収特性を有する隔壁４８の高さをｄ、前方散乱層１１ａから光吸収特性を有する隔壁４８に至るまでの距離をｈ、入射光７４，７５の基板法線方向からの角度をθ、前方散乱板１１の拡散角度をΘ、前方散乱板１１及び表示層１２の屈折率を等しいものと近似してこれをｎとする。これと上記の条件とを勘案し、幾何的に計算すると以下の式が得られる。
【００４９】
【数３】
2005055620.tif 000004
である。
【００５０】
式（１）を整理すると、
【数４】
2005055620.tif 000005
を得ることができる。
【００５１】
ここで本発明者は上記ｎの値として、一般的な高分子の屈折率の値と考えられる１．５を適用した。また、本発明に用いる反射型表示素子の使用状況から入射光源の角度θを基板法線方向から３０度とすることが妥当であるものとして計算を行った。その結果、次式を得た。
【００５２】
【数５】
2005055620.tif 000006
【００５３】
この式に基づき素子構成の設計をすることによって、前方散乱板１１を用いた場合にもエッジボケの無い所望の表示を得ることが可能であることが推測できる。
【００５４】
ところで、本発明は、鏡面反射板１３での反射後の光線が隣接する画素に入り込む量を極力抑制することで表示ボケを抑制するということが基本思想である。したがって、この基本思想によれば既述したように光吸収性の隔壁を立設する他、例えば光反射性を有する隔壁を立設するようにしても表示ボケに対しては有効であることがわかる。なお、この場合も上記と同様の設計指針に基づいて設計することが可能である。
【００５５】
さらに、このような光反射性の隔壁構造を用いるのと同様の考え方に基づくと、光透過性の物質であったとしても、その物質の屈折率が表示層の屈折率よりも高い材質の隔壁構造を用いた場合には、鏡面反射板での反射後の光線が隔壁にぶつかったときに全反射光となる比率が増加することから、光反射性隔壁構造を用いる場合と同様に表示ボケに対しては有効であることがわかる。この場合も上記と同様に設計指針に基づいて設計することが可能である。
【００５６】
このように、光が入射される対向基板に前方散乱板１１を設け、反射基板の、単位画素周辺の少なくとも一部分に光吸収性、或は光反射性を有する隔壁４８を形成することにより、表示ボケを抑制することができる。そして、このように構造自体を工夫することにより、表示ボケの無い良好な表示品位が得られる反射型表示素子を提供することができる。
【００５７】
次に、このような本実施の形態の実施例Ａ〜Ｄについて説明する。
【００５８】
（実施例Ａ）
本実施例Ａでは反射型表示素子の一例である反射型液晶表示素子において、単位画素の周辺部分に光吸収性能を有する隔壁を形成すると共に、セル厚、画像ピッチ、対向基板の厚さを変化させることにより、また後述する前方散乱板の散乱角Θを散乱層の製法を変化させることにより３種類の反射型液晶表示素子を形成し、この後、各反射型液晶表示素子において隔壁の高さを変化させて表示特性の比較を行った。
【００５９】
なお、本実施例において、３種類の反射型液晶表示素子の共通の構成は以下のとおりである。
【００６０】
液晶層の構造として、垂直配向処理を施した２枚のガラス基板を重ね合わせセル化し、液晶材料としてΔε＜０である液晶材料ＭＬＣ−６６０８（メルク社製）を毛細管注入した。基板構造としてアクティブマトリクス（ＡＭ）セルを用いた。ここで、このＡＭセルは、一方の基板（反射基板）にＴＦＴが配置されたアクティブマトリクス基板を用い、ＴＦＴ側の画素電極にはアルミ電極を用いて反射型の構成とした。
【００６１】
また、ＴＦＴ基板（反射基板）と対向する基板（対向基板）には厚さ１００ミクロンのＴＡＣ（トリアセチルセルロース）を基材としてその上に散乱層が形成されている前方散乱板を設けて視野角を拡大させた。そして、このときの散乱度合いとして、前方散乱板を透過する光の散乱状態をゴニオフォトメーター（村上色彩社製）にて測定した。このとき入射光線がそのまま前方散乱板による散乱を受けずに直線的に透過した光の強度に対して半分の光強度になる散乱角度を前方散乱板の散乱角Θとした。
【００６２】
また、いずれのセルも配向膜としてＪＡＬＳ２０２２−Ｒ１（ＪＳＲ製）を用い配向膜厚を１００ｎｍとし、この配向膜をラビングすることによってプレチルト角を付与した。なお、プレチルト角は基板法線方向から約０．５度とした。さらに、対向基板と前方散乱板に積層させるように広帯域λ／４板付きの偏光板（日東電工製）を配置した。これにより電圧無印加時には暗状態となり、電圧印加時には明状態となるようなノーマリブラック構成とした。
【００６３】
また、単位画素の周辺部分に光吸収性能を有する隔壁を設けた。なお、この隔壁は次のように形成した。
【００６４】
まず、ＴＦＴ基板上にアクリル系感光性接着剤（東京応化工業社製「ＣＦＰＲ−０１６Ｓ」）をスピンコートし、８０〜９０℃で１８０秒間プリベークした後、室温まで冷却し、超高圧水銀ランプによりマスクを介して２００ｍＪ／ｃｍ２（３６５ｎｍ）の紫外線を照射した。
【００６５】
次に、トリエタノールアミン５％水溶液で２０秒間現像後、純水でリンスし、さらにクリーンオーブンで２００℃、１０分間のポストベークを行い、ライン幅５μｍの断面が長方形の隔壁部材を各画素の周辺部、即ちマトリクス状に配設されている各電極の間隙に形成した。
【００６６】
次に、この隔壁を形成した基板上に光硬化性樹脂（フジハント社製「黒色カラーモザイクＣＫ７０００」）を厚さ３μｍになるように塗布し、８５℃で１５分間乾燥した。続いて高圧水銀灯を用いたフォトリソグラフィープロセスを用いることによって、５００ｍＪ／ｃｍ２で露光し、この後、現像液（フジハント社製現像液「ＣＤ」）を用いて現像した。
【００６７】
これによって、隔壁の表面上にのみ黒色の着色パターンが形成され、他のアルミ電極上の黒色樹脂を完全に除去した。そして、このプロセスによってマトリクス状に配設された電極の周辺部分に光吸収性能を有する隔壁が形成された。なお、この黒色樹脂の可視光吸収率は９８％であり、隔壁の高さｄは（ｄｋ＋３）ミクロンである。ここで、ｄｋは、アクリル系感光性接着剤によって形成される壁面の高さを意味している。
【００６８】
次に、セル厚、画像ピッチ、ＴＦＴ基板と対向する基板の厚さ及び前方散乱板の散乱角Θを変化させて形成した３種類の反射型液晶表示素子の表示特性の比較について説明する。なお、表示品位の評価については、標準的なオフィス環境に用いられる照明条件下にて表示させて主観評価による測定を行った。
【００６９】
（反射型液晶表示素子１）
反射型液晶表示素子１は、アクティブマトリクス基板として対角５インチＳＶＧＡ（８００×６００）の画素数を有する基板を用いた。このときの解像度は１インチあたり２００画素、画素ピッチは１２７ミクロンである。また、表示層を構成する液晶層の厚みを１５ミクロンとし、各画素周辺部にはＴＦＴ基板側に前述の光吸収性能を有する隔壁を設けた。このときの隔壁の高さｄとして、５ミクロン、１０ミクロン、１５ミクロンとなるように前記ｄｋの値を調整した。また比較サンプルとして、壁面を設けないサンプルも準備した。
【００７０】
対向基板には厚さ１８０ミクロンのガラスを用い、これに前方散乱板Ａを貼り付けた。なお前方散乱板Ａの散乱角Θは１０度であった。前方散乱板Ａの基材とガラス厚の和は２８０ミクロンである。また、前方散乱板Ａの散乱層と隔壁との距離を２８０ミクロンとした。
【００７１】
この４つのサンプルを用いて、様々な表示をさせたときの表示特性の比較を行った。結果を表１に示す。
【００７２】
【表１】
2005055620.tif 000007
【００７３】
なお、図５は上記式（２）によって導かれる最大解像度を示す図であり、同図によると、図中、前方散乱板Ａの散乱層と隔壁との距離（２８０ミクロン）に対応する符号８１で示した直線と、ｄをパラメータとしたときに得られる曲線の交点が、本実施例のガラスの厚みに対応した最大解像度を示している。これによると、壁面を設けない（ｄ＝０の曲線）場合は、本構成で表示できる最大解像度が１８０ｐｐｉであるのに対して、５ミクロン以上の壁面を設けることによって得られる最大解像度が２００ｐｐｉ以上となることがわかる。
【００７４】
したがって、式（２）で示した範囲内に素子構成を設計することによって良好な表示を得ることができることがわかる。
【００７５】
（反射型液晶表示素子２）
反射型液晶表示素子２は、アクティブマトリクス基板として対角１０インチＳＶＧＡ（８００×６００）の画素数を有する基板を用いた。このときの解像度は１インチあたり１００画素、画素ピッチは２５４ミクロンである。また、液晶層の厚みを１５ミクロンとして、各画素周辺部にはＴＦＴ基板側に前述の光吸収性能を有する隔壁を設けた。このときの隔壁の高さｄとして、５ミクロン、１０ミクロン、１５ミクロンとなるように前記ｄｋの値を調整した。また比較サンプルとして、壁面を設けないサンプルも準備した。
【００７６】
対向基板には厚さ１８０ミクロンのガラスを用い、これに前方散乱板Ｂを貼り付けた。なお前方散乱板Ｂの散乱角Θは２０度であった。前方散乱板Ｂの基材とガラス厚の和は２８０ミクロンである。また、前方散乱板Ｂの散乱層と隔壁との距離を２８０ミクロンとした。
【００７７】
この４つのサンプルを用いて、様々な表示をさせたときの表示特性の比較を行った。結果を表２に示す。
【００７８】
【表２】
2005055620.tif 000008
【００７９】
なお、図６は上記式（２）によって導かれる最大解像度を示す図であり、同図によると、前方散乱板Ｂの散乱層と隔壁との距離（２８０ミクロン）に対応する図中符号９１で示した直線と、ｄをパラメータとしたときに得られる曲線の交点が本実施例のガラスの厚みに対応した最大解像度を示している。
【００８０】
これによると壁面を設けない（ｄ＝０の曲線）場合は本構成で表示できる最大解像度が９６ｐｐｉであるのに対して、５ミクロン以上の壁面を設けることによって得られる最大解像度が１００ｐｐｉ以上となることがわかる。
【００８１】
また、式（２）を導くにあたって、入射光源の角度θを基板法線方向から３０度と仮定して計算を行ったが、それ以外の入射光源の角度を仮定して計算を行ったときに本実施例の結果と矛盾した結果が得られることが確認できた。つまり、入射光源の角度θが基板法線方向から３０度であるという数値を代入した妥当性がこれによって確認できた。
【００８２】
（反射型液晶表示素子３）
反射型液晶表示素子３は、アクティブマトリクス基板として対角７．５インチＳＶＧＡ（８００×６００）の画素数を有する基板を用いた。このときの解像度は１インチあたり１５０画素、画素ピッチは１９１ミクロンである。また、液晶層の厚みを１５ミクロンとして、各画素周辺部にはＴＦＴ基板側に前述の光吸収性能を有する壁面を設けた。このときの壁面の高さｄとして、５ミクロン、１０ミクロン、１５ミクロンとなるように前記ｄｋの値を調整した。また比較サンプルとして、壁面を設けないサンプルも準備した。
【００８３】
対向基板には厚さ８０ミクロンのガラスを用い、これに前方散乱板Ｂを貼り付けた。なお前方散乱板Ｂの散乱角Θは２０度であった。前方散乱板Ｂの基材とガラス厚の和は１８０ミクロンである。また、前方散乱板Ｂの散乱層と隔壁との距離を１８０ミクロンとした。
【００８４】
この４つのサンプルを用いて、様々な表示をさせたときの表示特性の比較を行った。結果を表３に示す。
【００８５】
【表３】
2005055620.tif 000009
【００８６】
なお、図７は上記式（２）によって導かれる最大解像度を示す図であり、同図によると、前方散乱板Ｂの散乱層と隔壁との距離（１８０ミクロン）に対応する図中符号１０１で示した直線と、ｄをパラメータとしたときに得られる曲線の交点が本実施例のガラスの厚みに対応した最大解像度を示している。これによると壁面を設けない（ｄ＝０の曲線）場合では本構成で表示できる最大解像度が１４５ｐｐｉであるのに対して、５ミクロン以上の壁面を設けることによって得られる最大解像度が１５０ｐｐｉ以上となることがわかる。したがって、式（２）で示した範囲内に素子構成を設計することによって良好な表示を得ることができることがわかる。
【００８７】
（実施例Ｂ）
本実施例Ｂでは反射型表示素子の他の一例である電気泳動表示素子において、画像ピッチ、対向基板の厚さを変化させることにより、また後述する前方散乱板の散乱角Θを散乱層の製法を変化させることにより３種類の電気泳動表示素子を形成し、この後、各電気泳動表示素子において隔壁の高さを変化させて表示特性の比較を行った。
【００８８】
なお、図８は電気泳動表示素子の概略構成を示す図であり、同図に示すように第１基板（反射基板）１１０上にはポリイミドを用いた無色透明の絶縁層１１５が設けられ、この絶縁層１１５の下部にアルミで形成された第１電極１１３が設けられている。なお、この第１電極１１３には不図示の薄膜トランジスタによるスイッチング素子が接続されている。また、この第１電極１１３の面積は隔壁部材１１６で区画された面内に相当する。
【００８９】
一方、絶縁層１１５の上面には第２電極１１４及び隔壁部材１１６が形成され、隔壁部材１１６で区画された空間には、パラフィン系炭化水素溶媒を主成分とする絶縁性液体１１８にカーボンブラックを含有したポリスチレン樹脂から成る黒色の帯電粒子１１７を分散させた分散液が充填されている。また第２基板（対向基板）１１１の上には、視野角を拡大させるよう前方散乱板１１９が設けられている。
【００９０】
なお、本実施例において、３種類の電気泳動表示素子の共通の構成は以下の通りである。
【００９１】
基板構造としてアクティブマトリクス（ＡＭ）セルを用いた。また、透明な第２基板１１１と隔壁部材１１６とを接着剤で固定した。また、隔壁部材１１６には、エポキシ系の感光性樹脂を使用し、接着剤にはＵＶ硬化型接着剤を使用した。さらに、第２基板１１１の上には厚さ１００ミクロンのＴＡＣ（トリアセチルセルロース）を基材としてその上に散乱層が形成されている前方散乱板１１９を設けて、視野角を拡大させた。
【００９２】
そして、このときの散乱度合いとして、前方散乱板１１９を透過する光の散乱状態をゴニオフォトメーター（村上色彩社製）にて測定した。このとき入射光線がそのまま前方散乱板１１９による散乱を受けずに直線的に透過した光の強度に対して半分の光強度になる散乱角度を前方散乱板の散乱角Θとした。
【００９３】
ところで、電気泳動表示素子は、第１電極１１３と第２電極１１４との間に電圧を印加することで表示を行うものであり、表示は白色或は黒色、さらには第１電極１１３及び第２電極１１４に印加する電圧信号の大きさや時間を適宜調整することで階調表示を行うことができる。
【００９４】
例えば、白色表示時には帯電粒子１１７は、図８に示すように画素周辺部の隔壁部材表面上に存在し、黒色表示時には第１電極上に均一に分散することによって入射光が反射板１１３に到達することがない非透過状態となることによって明暗のコントラストを得ることができる。また、このような白色表示時において、黒色粒子が隔壁表面上に堆積する高さ（図中でｄと記載）は第２電極１１４の形状や高さ、帯電粒子１１７の大きさなどに依存することがわかっている。
【００９５】
次に、画像ピッチ、対向基板の厚さ及び前方散乱板の散乱角Θを変化させて形成した３種類の電気泳動表示素子の表示特性の比較について説明する。なお、表示品位の評価については、標準的なオフィス環境に用いられる照明条件下にて表示させて主観評価による測定を行った。
【００９６】
（電気泳動表示素子１）
電気泳動表示素子１は、アクティブマトリクス基板として対角５インチＳＶＧＡ（８００×６００）の画素数を有する基板を用いた。このときの解像度は１インチあたり２００画素、画素ピッチは１２７ミクロンである。
【００９７】
また、電気泳動表示層の厚みを１５ミクロンとして白色表示時に各画素周辺部に隔壁部材に沿って堆積する黒色粒子の堆積高さをｄとして、２ミクロン、５ミクロン、１０ミクロン、１５ミクロンとなるように調整した。
【００９８】
第２基板１１１には厚さ１８０ミクロンのガラスを用い、これに前方散乱板Ａを貼り付けた。なお前方散乱板Ａの散乱角Θは１０度であった。前方散乱板の基材とガラス厚の和は２８０ミクロンである。また、前方散乱板Ａの散乱層と黒色粒子との距離を２８０ミクロンとした。
【００９９】
この４つのサンプルを用いて、様々な表示をさせたときの表示特性の比較を行った。結果を表４に示す。
【０１００】
【表４】
2005055620.tif 000010
【０１０１】
なお、図９は上記式（２）によって導かれる最大解像度を示す図であり、同図によると、図中、前方散乱板Ａの散乱層と隔壁との距離（２８０ミクロン）に対応する１２１で示した直線と、ｄをパラメータとしたときに得られる曲線の交点が本実施例のガラスの厚みに対応した最大解像度を示している。
【０１０２】
これによると黒色粒子の堆積高さが２ミクロンと低い値の場合は本構成で表示できる最大解像度が１９０ｐｐｉであるのに対して、黒色粒子の堆積高さを５ミクロン以上とすることにより、言い換えれば黒色粒子により５ミクロン以上の光を吸収する隔壁を形成することにより、得られる最大解像度が２００ｐｐｉ以上となることがわかる。したがって式（２）で示した範囲内に素子構成を設計することによって良好な表示を得ることができることがわかる。
【０１０３】
（電気泳動表示素子２）
電気泳動表示素子２は、アクティブマトリクス基板として対角１０インチＳＶＧＡ（８００×６００）の画素数を有する基板を用いた。このときの解像度は１インチあたり１００画素、画素ピッチは２５４ミクロンである。
【０１０４】
また、電気泳動表示層の厚みを１５ミクロンとして白色表示時に各画素周辺部に隔壁部材に沿って堆積する黒色粒子の堆積高さｄとして、２ミクロン、５ミクロン、１０ミクロン、１５ミクロンとなるように調整した。
【０１０５】
第２基板１１１には厚さ１８０ミクロンのガラスを用い、これに前方散乱板Ｂを貼り付けた。なお前方散乱板Ｂの散乱角Θは２０度であった。前方散乱板Ｂの基材とガラス厚の和は２８０ミクロンである。また、前方散乱板Ｂの散乱層と黒色粒子との距離を２８０ミクロンとした。この４つのサンプルを用いて、様々な表示をさせたときの表示特性の比較を行った。結果を表５に示す。
【０１０６】
【表５】
2005055620.tif 000011
【０１０７】
なお、図１０は上記式（２）によって導かれる最大解像度を示す図であり、同図によると、図中、前方散乱板Ｂの散乱層と隔壁との距離（２８０ミクロン）に対応する１２１で示した直線と、ｄをパラメータとしたときに得られる曲線の交点が本実施例のガラスの厚みに対応した最大解像度を示している。
【０１０８】
これによると黒色粒子の堆積高さが２ミクロンと低い値の場合は本構成で表示できる最大解像度が９８ｐｐｉであるのに対して、黒色粒子の堆積高さを５ミクロン以上とすることにより、言い換えれば黒色粒子により５ミクロン以上の光を吸収する隔壁を形成することにより、得られる最大解像度が１００ｐｐｉ以上となることがわかる。したがって、式（２）で示した範囲内に素子構成を設計することによって良好な表示を得ることができることがわかる。
【０１０９】
（電気泳動表示素子３）
電気泳動表示素子３は、アクティブマトリクス基板として対角７．５インチＳＶＧＡ（８００×６００）の画素数を有する基板を用いた。このときの解像度は１インチあたり１５０画素、画素ピッチは１９１ミクロンである。
【０１１０】
また、電気泳動表示層の厚みを１５ミクロンとして白色表示時に各画素周辺部に隔壁部材に沿って堆積する黒色粒子の高さｄとして、２ミクロン、５ミクロン、１０ミクロン、１５ミクロンとなるように調整した。
【０１１１】
第２基板には厚さ８０ミクロンのガラスを用い、これに前方散乱板Ｂを貼り付けた。なお前方散乱板Ｂの散乱角Θは２０度であった。前方散乱板Ｂの基材とガラス厚の和は１８０ミクロンである。また、前方散乱板Ｂの散乱層と黒色粒子との距離を１８０ミクロンとした。この４つのサンプルを用いて、様々な表示をさせたときの表示特性の比較を行った。結果を表６に示す。
【０１１２】
【表６】
2005055620.tif 000012
【０１１３】
なお、図１１は上記式（２）によって導かれる最大解像度を示す図であり、同図によると、図中、前方散乱板Ｂの散乱層と隔壁との距離（１８０ミクロン）に対応する１４１で示した直線と、ｄをパラメータとしたときに得られる曲線の交点が本実施例のガラスの厚みに対応した最大解像度を示している。
【０１１４】
これによると黒色粒子の堆積高さが２ミクロンと低い値の場合は本構成で表示できる最大解像度が１４９ｐｐｉであるのに対して、５ミクロン以上の壁面を設けることにより、言い換えれば黒色粒子により５ミクロン以上の光を吸収する隔壁を形成することにより、得られる最大解像度が１５０ｐｐｉ以上となることがわかる。したがって、式（２）で示した範囲内に素子構成を設計することによって良好な表示を得ることができることがわかる。
【０１１５】
また、これら電気泳動表示素子１〜３において、黒色粒子の堆積高さが５ミクロン以下の場合において表示ボケを相対比較すると、表示素子の解像度が最も高かった電気泳動表示素子１が最も表示ボケの程度が軽かった。これにより、解像度が２００ｐｐｉ以上の表示によって表示ボケを軽減できることを確認した。
【０１１６】
なお、本実施例Ｂでは、液体中に帯電粒子が分散されている電気泳動表示素子を用いたが、電気泳動表示素子の代わりに、気体中に粒子が分散している粒子移動型表示素子や帯電していない粒子を用いる誘電泳動型表示素子など様々な表示方式のものを用いることができる。
【０１１７】
（実施例Ｃ）
本実施例Ｃでは反射型液晶表示素子において、画素の周辺部分に可視光反射性を有する隔壁を設けた。なお、この隔壁は次のように形成した。まず、ＴＦＴ基板上にアクリル系感光性接着剤（東京応化工業社製「ＣＦＰＲ−０１６Ｓ」）をスピンコートし、８０〜９０℃で１８０秒間プリベークした後、室温まで冷却し、超高圧水銀ランプによりマスクを介して２００ｍＪ／ｃｍ２（３６５ｎｍ）の紫外線を照射した。
【０１１８】
次に、トリエタノールアミン５％水溶液で２０秒間現像後、純水でリンスし、さらにクリーンオーブンで２００℃、１０分間のポストベークを行い、ライン幅５μｍの断面が長方形の隔壁部材を各画素の周辺部、即ちマトリクス状に配設されている各電極の間隙に形成した。
【０１１９】
次に、この隔壁を形成した基板に対して、リフトオフ法によって隔壁部分のみに選択的にアルミを形成した。そして、このプロセスによってマトリクス状に配設された電極の周辺部分に可視光反射性能を有する隔壁が形成された。
【０１２０】
次に、こうして得られた反射型液晶表示素子において、隔壁の高さｄを変化させて複数種類の反射型液晶表示素子を形成し、これらの反射型液晶表示素子を標準的なオフィス環境に用いられる照明条件下にて表示させて主観評価による表示品位の測定を行った。
【０１２１】
その結果、可視光反射性隔壁を設けたときに表示ボケが改善されたことが確認できた。またこの隔壁高さが５ミクロン以上であったときに表示ボケが顕著に改善されたことが確認できた。
【０１２２】
（実施例Ｄ）
本実施例Ｄでは反射型液晶表示素子において、画素の周辺部分に最表面層が高屈折率物質からなる隔壁を設けた。なお、この隔壁は次のように形成した。まず、ＴＦＴ基板上にアクリル系感光性接着剤（東京応化工業社製「ＣＦＰＲ−０１６Ｓ」）をスピンコートし、８０〜９０℃で１８０秒間プリベークした後、室温まで冷却し、超高圧水銀ランプによりマスクを介して２００ｍＪ／ｃｍ２（３６５ｎｍ）の紫外線を照射した。
【０１２３】
次に、トリエタノールアミン５％水溶液で２０秒間現像後、純水でリンスし、さらにクリーンオーブンで２００℃、１０分間のポストベークを行い、ライン幅５μｍの断面が長方形の隔壁部材を各画素の周辺部、即ちマトリクス状に配設されている各電極の間隙に形成した。
【０１２４】
次に、この隔壁を形成した基板に対して、リフトオフ法によって隔壁部分のみに選択的にＩＴＯを形成した。このとき使用したＩＴＯの屈折率は２．０であった。
【０１２５】
また、本実施例で使用した液晶材料（ＭＬＣ−６６０８）の屈折率は、常光屈折率が１．４７５６、異常光屈折率が１．５５８６であり、液晶層（表示層）に対して隔壁部分の屈折率の方が大きい構成とした。つまり、隔壁を、その屈折率ｎＷが表示媒体である液晶の屈折率ｎｄとの間にｎＷ＞ｎｄの関係が成立するように構成した。これにより、マトリクス状に配設された電極の周辺部分に液晶層に対して相対的に高屈折率な物質からなる隔壁を形成した。
【０１２６】
次に、こうして得られた反射型液晶表示素子において、隔壁の高さｄを変化させて複数種類の反射型液晶表示素子を形成し、これらの反射型液晶表示素子を標準的なオフィス環境に用いられる照明条件下にて表示させて主観評価による表示品位の測定を行った。
【０１２７】
その結果、高屈折率隔壁を設けたときに表示ボケが改善されたことが確認できた。またこの隔壁高さが５ミクロン以上であったときに表示ボケが顕著に改善されたことが確認できた。
【０１２８】
ところで、実施例Ａにおいては、隔壁の表面上に黒色の着色パターンを形成することにより光吸収性の隔壁を形成したが、例えば光吸収性の隔壁として、隔壁そのものを光吸収性物質で形成することも可能である。
【０１２９】
あるいは、粒子状などの光吸収性物質を、電界などの外場によって画素周辺領域あるいは画素周辺に存在する壁面近傍に偏在させるような表示モードを用いることで、液晶層（表示層）が実質的に透過状態を示す状態であるときに隔壁の少なくとも一部分が光吸収性物質に覆われているような構成をとることも可能である。特に、こうした電界による粒子状物質の偏在を用いる表示モードを用いる場合は、隔壁そのものの材質として光吸収性の物質を用いる必要がないことから、プロセス容易性の観点から好適に用いることができる。
【０１３０】
また、同様の考え方によって、隔壁部分のみに選択的にアルミを形成することによって光吸収性の隔壁を形成する代わりに光反射性粒子を用いることができ、また隔壁部分のみに選択的にＩＴＯを形成することによって表示層の屈折率よりも高い隔壁を形成する代わりに高屈折率粒子を用いることもできる。
【０１３１】
さらに、これまで述べた画素周辺の光吸収などの特性を有する隔壁は、単位画素の全周囲に存在していてもよいし、周囲のうちの一部分のみであっても効果的である。なお一部分に配置されている場合には、単位画素の形状が長方形の場合のような辺の長さが異なるものの場合には、長辺側に配置するのが効果的である。
【０１３２】
あるいは、実際に本発明の反射型表示素子を使用するにあたって表示画像の向きがあらかじめわかっている場合には、単位画素の下側に配置するのが効果的である。つまり、標準的な姿勢で表示素子の情報を閲覧する場合には、屋外であれば太陽光からの照明、屋内であれば照明光は表示素子法線方向に対して上側から光照射されることになる。したがって、隣接画素に影響する表示情報ボケを抑制するためには、単位画素周囲のうち少なくとも下側に隔壁を配置するのが効果的である。
【図面の簡単な説明】
【０１３３】
【図１】本発明の実施の形態に係る反射型表示素子の構成を示す図。
【図２】上記反射型表示素子の他の構成として反射基板側に光吸収領域を設けた際の表示状態を表す図。
【図３】図２の比較例として上記反射型表示素子の対向基板側に光吸収領域を設けた際の表示状態を表す図。
【図４】上記反射型表示素子の隔壁を形成する際の用いられるパラメータを示す図。
【図５】上記実施の形態の実施例Ａで得られた結果を示す第１の図表。
【図６】上記実施の形態の実施例Ａで得られた結果を示す第２の図表。
【図７】上記実施の形態の実施例Ａで得られた結果を示す第３の図表。
【図８】上記実施の形態の実施例Ｂに係る電気泳動表示素子の概略構成を示す図。
【図９】上記実施の形態の実施例Ｂで得られた結果を示す第１の図表。
【図１０】上記実施の形態の実施例Ｂで得られた結果を示す第２の図表。
【図１１】上記実施の形態の実施例Ｂで得られた結果を示す第３の図表。
【図１２】従来の反射型表示素子の表示ボケを説明する第１の図。
【図１３】従来の反射型表示素子の表示ボケを説明する第２の図。
【図１４】従来の反射型表示素子の表示ボケを説明する第３の図。
【符号の説明】
【０１３４】
１１      前方散乱板
１１ａ    前方散乱層
１２      表示層
１３      鏡面反射板
４５      光
４８      隔壁
１１０    第１基板（反射基板）
１１１    第２基板（対向基板）
１１３    第１電極
１１６    隔壁部材
１１７    帯電粒子
１１９    前方散乱板
【図１】
2005055620.tif 000014
【図２】
2005055620.tif 000015
【図３】
2005055620.tif 000016
【図４】
2005055620.tif 000017
【図５】
2005055620.tif 000018
【図６】
2005055620.tif 000019
【図７】
2005055620.tif 000020
【図８】
2005055620.tif 000021
【図９】
2005055620.tif 000022
【図１０】
2005055620.tif 000023
【図１１】
2005055620.tif 000024
【図１２】
2005055620.tif 000025
【図１３】
2005055620.tif 000026
【図１４】
2005055620.tif 000027